(57)【特許請求の範囲】
【請求項１】
流し台のシンクの底部に組み付け可能で、上面を開口した有底筒状体であるタンクの少なくとも底部に排出管を設けてなるトラップ本体と、このトラップ本体に密に着脱可能とした封水構造体からなる排水トラップであって、前記封水構造体は、有底筒状体の側壁の中間部に排水窓を設けてこの排水窓より下方を封水部とすると共に、上縁開口にＬ字形の係止溝を設けたカップと、下部を前記カップの封水部に進入した位置でこのカップの前記係止溝に係入可能な係止突起を外周面に設けた防臭管とを、前記係止突起を前記係止溝に係入させて回転することで、分解可能に一体に組み付けて構成したものであることを特徴とする排水トラップ。
【請求項２】
カップの外周面の前記排水窓の開口上縁と同じ高さ位置には複数の突起を設けた請求項１記載の排水トラップ。
【請求項３】
上記封水構造体において、上記防臭管に環状の防臭パッキンを取り付けるとともに、上記防臭管の上端開口縁に鍔部を形成し、該鍔部をトラップ本体に設けた段差部に係着して、この封水構造体を密にトラップ本体に取り付けるようにした請求項１又は請求項２記載の排水トラップ。
【発明の詳細な説明】
【技術分野】
【０００１】
この発明は、封水部を有する排水トラップにおいて、トラップ本体に対する封水構造の組み付け部分からの臭気漏れを防止すると共に、封水構造全体を着脱可能として、分解、洗浄を容易とした排水トラップに関するものである。
【背景技術】
【０００２】
トラップ本体に排水パイプを挿入固定した二重構造の排水トラップは、例えば特許文献１により公知である。即ち、トラップ本体は上面を流し台等と合致する排水口として開口した有底筒状であり、その側壁の中途に排水部を設けることで、排水部以下を封水部としたものである。また、排水パイプは上部においてトラップ本体の排水口をカバーするテーパー部と、下部において封水部に進入するパイプ部分とを連設した漏斗状に成型される。そして、排水パイプは、その上部に適宜設けたフランジ状の係合部をトラップ本体の上部内周に適宜設けた段差部に係合させるなどして、トラップ本体に組み付けられるものである。
【０００３】
この二重管構造の排水トラップによれば、通常使用時において、排水パイプを介して流水する洗浄水等は、封水部がオーバーフローした段階でトラップ本体の排水部から流出する。また、トラップ本体の上面開口（排水口）は排水パイプの上部と合致し、なおかつ、排水パイプの下部は封水部によって閉塞されているため、トラップ本体で発生した臭気が排水パイプを連通して外部に漏れることがない。
【０００４】
特許文献１では、排水パイプのフランジをトラップ本体の段差部に載せているだけであり、シール部の機能もフランジと段差部の接触面を封止するに過ぎない。つまり、この構造では、フランジの周縁から臭気が漏れ出しやすく、特に成型精度が悪い、或いは使用中の振動等によって、排水パイプの組み付け位置がずれると、トラップ本体との間に隙間が生じやすく、臭気漏れを完全に防止することは困難であった。
【０００５】
なお、特許文献１にはシール部が具体的にどのような物であるかは説明されていないが、一般的にＯリングを使用することが多いから、特許文献１においても適用すると考えられる。しかし、Ｏリングは密封性に優れる反面、非常に高い弾性を有するから、組み付けに相当の力が必要となるし、反対に、組み付けたものは容易に解除できない。
【０００６】
一方、排水トラップは、トラップ本体のぬめり取りなど、メンテナンス性を考えると、排水パイプは容易に取り外しできることが好ましい。そこで、本出願人は、特許文献２に開示された排水トラップを提案している。
【０００７】
この特許文献２における排水トラップは、トラップ本体と漏斗状の排水パイプとからなる排水トラップにおいて、トラップ本体の内周壁上部には段差部を形成すると共に、排水パイプの外周壁には前記段差部を気密可能に閉塞するリップを少なくとも一つ有する環状パッキンを設けている。
【０００８】
この構造の排水トラップによれば、トラップ本体と排水パイプの組み付け部にＯリングよりも変形能に優れたリップつきの環状パッキンを設けたので、組み付け部からの臭気漏れを防止できると共に、排水パイプの分解能も併有し、メンテナンス性に優れた排水トラップとすることができた。
【先行技術文献】
【特許文献】
【０００９】
【特許文献１】特開２００５−９７８３１号公報
【特許文献２】特開２００７−２０５０９８号公報
【発明の概要】
【発明が解決しようとする課題】
【００１０】
しかしながら、上述した特許文献１及び特許文献２における排水トラップを含むこの種の排水トラップの多くは、排水パイプ（特許文献１ではトラップカバー）を取り外して洗浄することは可能であるが、封水部を有するトラップ本体は流し台に固定されており、これを取り外して洗浄することはできなかった。そのため、封水部に滞留した水を何らかの手段で取り除いてから洗浄する必要があり、該部の洗浄に非常な時間と労力を要していた。特に、近年採用されつつある口径の比較的小さな排水トラップにおいて、顕著な不都合が生じていた。
【００１１】
本発明は、上記実情に鑑み、封水部を有する封水構造を含めて取り外し可能な構成にして、臭気漏れを防止すると共に、全体の洗浄が容易な排水トラップを提供することを目的としている。
【課題を解決するための手段】
【００１２】
上記課題を解決するために、本発明は、排水トラップの構成として、流し台のシンクの底部に組み付け可能で、上面を開口した有底筒状体であるタンクの少なくとも底部に排出管を設けてなるトラップ本体と、このトラップ本体に密に着脱可能とした封水構造体からなる排水トラップであって、前記封水構造体は、有底筒状体の側壁の中間部に排水窓を設けてこの排水窓より下方を封水部としたカップと、下部を前記カップの封水部に進入した位置でこのカップの内側に着脱可能に係着する防臭管とを一体に組み付けて構成するという手段を採用した。
【００１３】
そして、上記封水構造体において、上記防臭管に環状の防臭パッキンを取り付けるとともに、上記防臭管の上端開口縁に鍔部を形成し、該鍔部をトラップ本体に設けた段差部に係着して、この封水構造体を密にトラップ本体に取り付けるようにするという手段を採用した。
【００１４】
また、上記カップの上端開口にＬ字形の係止溝を設ける一方、上記防臭管の外周面に上記カップの係止溝に係入可能な係止突起を設け、その係止突起を前記係止溝に係入させて回転することで着脱可能に封水構造体を一体に組み付けるようにするという手段を採用した。
【００１５】
また、カップの外周面の前記排水窓の開口上縁と同じ高さ位置には複数の突起を設けるという手段を採用した。
【発明の効果】
【００１６】
上記構成の本発明に係る排水トラップは、トラップ本体に対して封水構造体を着脱可能とすると共に、この封水構造体を構成するカップ及び防臭管も着脱自在に構成したので、封水部に溜まった水を容易に廃棄でき、トラップ本体、カップ、防臭管を、それぞれ個別に洗浄することが可能となった。そのため、排水トラップ全体を常に清浄に維持することができるという格別の効果が期待できるものである。
【００１７】
また、封水構造体自体に封水構造を設けると共に、防臭管に防臭パッキンを取り付けているので、封水構造体をトラップ本体に密に取り付けることができ、防臭管からの臭気の漏れを確実に防止できるものである。
【図面の簡単な説明】
【００１８】
【図１】本発明に係る排水トラップの一例を示す断面図である。
【図２】排水トラップにおける封水構造体を分解した態様を示す説明図で、（Ａ）は使用状態を示し、（Ｂ）は封水構造体を取り外した状態、（Ｃ）は封水構造体をさらにカップと防臭管に分解した状態を示すものである。
【図３】カップの例を示すもので、（Ａ）は平面図、（Ｂ）はＡ−Ａ線断面図、（Ｃ）はＢ−Ｂ線断面図、（Ｄ）はＣ−Ｃ線断面図である。
【図４】防臭管の例を示すもので、（Ａ）は平面図  （Ｂ）はＡ−Ａ線断面図、（Ｃ）は側面図、（Ｄ）は底面図である。
【図５】防臭パッキンの例を示すもので、（Ａ）は平面図、（Ｂ）は側面図、（Ｃ）はＡ−Ａ線断面図である。
【図６】タンクの例を示す図で、（Ａ）は正面図、（Ｂ）は側面図、（Ｃ）は断面図である。
【図７】ロックナットの例を示す図である。
【図８】マウスピースの例を示す図である。
【図９】口金の例を示す図である。
【図１０】Ｙ字パッキンの例を示す図である。
【図１１】ファスナーの例を示す図である。
【発明を実施するための形態】
【００１９】
以下、本発明に係る排水トラップの好ましい実施の形態を、添付した図面に従って説明する。図１の断面図において、１０は流し台のシンク（Ｓ）の底部に組み付けたトラップ本体、２０はトラップ本体１０の内側に取り付けるカップ、３０はカップ２０に取り付ける防臭管である。このカップ２０と防臭管３０は一体に組み付けることができ、封水構造体４０を構成する。なお、５０は排水トラップの開口部分に載置する目皿で、排水口の平面態様も併せて図示している。また、トラップ本体１０には、図示しない下水管につながるジョイントエルボ（Ｊ）を取り付けている。而して、カップ２０及び防臭管３０からなる封水構造体４０は、図２に示すように簡単に脱着できるようになっている。
【００２０】
上記構成をさらに詳細に説明すると、トラップ本体１０は、流し台等に組み付け可能なマウスピース１１と、それに取付ける口金１２と、マウスピース１１の止水用Ｙ字パッキン１３と、前記マウスピース１１にネジ部１４で螺合されるロックナット１５と、ファスナー１６を介して前記ロックナット１５に取り付けるタンク１７とからなり、これらが一体化して流し台のシンク（Ｓ）に取り付けられている。個々の部材の具体な構成例は、図６から図１１に示しているが、これらに限定するものではなくその構成は設計的事項であるが、特に重要なのはタンク１７の構成である。なお、１８、１９はＯリングで、各部材間を水密に維持するものである。
【００２１】
タンク１７は、図１及び図６に示すように上面開口の有底の筒状であり、その側壁１７ａの一部から底部１７ｂにかけて排出管１７ｃを斜め下方に突出して設けてなり、この排出管１７ｃの先端には下水管（図示せず）と連通するジョイントエルボ（Ｊ）を取り付け可能としている。また、タンク１７の底部１７ｂは上記排出管１７ｃ側に向かって下がる傾斜を設けて底部１７ｂに水が滞留しないようになっている。このタンク１７は、上述するように、ファスナー１６を介してロックナット１５に取り付ける。なお、上記排出管１７ｃは、少なくともタンク１７の底部１７ｂに設ければよく、側壁１７ａを含む必要はない。即ち、底部１７ｂから直接水が排出管１７ｃに流れてタンク１７内に水が滞留しないことが肝要である。
【００２２】
カップ２０は、図３に示すように有底の筒状であり、上記トラップ本体１０のマウスピース１１にほぼ隙間なく挿入可能なようにその外径が設定されている。このカップ２０は、その側壁の中間部に複数の排水窓２０ａ、２０ａ・・・を有し、排水窓２０ａより下方が封水部２０ｂとして機能し、流入してくる洗浄水は、封水部２０ｂがオーバーフローした段階で上記排水窓２０ａから流出して上記タンク１７に落下する。また、このカップ２０の上端開口には、一対のＬ字形の係止溝２０ｃが形成され、下述する防臭管３０の外周面に設けた係止突起３０ａを係入可能としている。なお、カップ２０の外周面の上記排水窓２０ａの開口上端縁と同じ高さ位置には複数の突起２０ｄ、２０ｄ・・・を設けている。これは、カップ２０を上記トラップ本体１０のマウスピース１１の内周面に取り付けたときに、該突起２０ｄがマウスピース１１の下端縁で係止され、排水窓２０ａの開口上縁が前記マウスピース１１の下端縁より下に位置して、排水窓２０ａが完全に露出し、確実に排水できるようにするためである。
【００２３】
防臭管３０は、図４に示すように、上記カップ２０にほぼ隙間なく挿入可能な外径を有し、その外周面に上記カップ２０の係止溝２０ｃに係入可能な係止突起３０ａを突設した漏斗部３０ｂと、上記カップ２０の封水部２０ｂに進入するパイプ部３０ｃとを連接してなる。また、３０ｄは防臭管３０の上端開口縁に延設した鍔部であり、上記マウスピース１１の上端縁内側に設ける段差部１１ａに係着可能としている。また、３０ｅは防臭パッキン３１を係着するパッキン溝である。防臭パッキン３１は、図５に示すように、シリコンゴム等の弾性素材からなる環状パッキンであり、外周にスリット３１ａを設けると共に、その上下にリップ３１ｂ、３１ｄを形成したものであって、マウスピース１１に密着した状態とし、該部からの臭気漏れを防止するものである。なお、この防臭パッキン３１としては、例えば先行技術文献として提示した特開２００７−２０５０９８公報に開示したものを採用することができるが、必ずしもこれに限定するものではない。
【００２４】
この防臭管３０は、その係止突起３０ａをカップ２０の係止溝２０ｃに係入させて回転することでカップ２０に着脱自在に固定することができ、両者は一体となって封水構造体４０を構成する。なお、３０ｆは防臭管３０を回転操作する際に手指や工具の引っ掛かりとして機能する羽根である。
【００２５】
上記構成において、このようにカップ２０と防臭管３０を組み合わせた封水構造体４０を上記トラップ本体１０へ取り付けるには、全体をトラップ本体１０の開口部分に嵌入させるだけでよい。このとき、防臭管３０の上端の鍔部３０ｄがトラップ本体１０のマウスピース１１に設けた段差部１１ａに係着して固定されると共に、防臭パッキン３１によって密の状態となり、トラップ本体１０からの臭気漏れを確実に防止する。また、防水管３０のパイプ部３０ｃが封水部２０ｂに進入しているので、カップ２０の封水部２０ｂに水が滞留して、下流の下水管からの臭気が漏出することもない。
【００２６】
次に、洗浄の際には、カップ２０と防臭管３０を組み合わせた封水構造体４０の全体をトラップ本体１０から真上に引き出す。このとき、カップ２０の封水部２０ｂに洗浄水が滞留しているが、トラップ本体１０のタンク１７の底部１７ｂは上記排出管１７ｃ側に向かって下がる傾斜を設けているので、従来のようにトラップ本体１０に滞留水は残らない。そして、トラップ本体１０のタンク１７の内面は完全に露出し、容易に洗浄することができる。
【００２７】
一方、引き出したカップ２０と防臭管３０からなる封水構造体４０は、係止突起３０ａと係止溝２０ｃとの係着を解除すれば容易に分解できるので、個々に洗浄が可能である。即ち、カップ２０の封水部２０ｂに貯留された洗浄水は容易に廃棄でき、全体を洗浄できる。また、防臭管３０も同様に全体を洗浄できる。
【００２８】
従って、上記構成の排水トラップによれば、トラップ本体１０に対して封水構造体４０を着脱自在とし、さらに封水構造体４０を構成するカップ２０及び防臭管３０も着脱自在としたので、トラップ本体１０、カップ２０、防臭管３０を、個々に容易に洗浄することができ、排水トラップを常に清浄な状態に維持することが可能となる。又、防臭パッキン３１と封水により臭気の漏出を防ぐことができる。
【符号の説明】
【００２９】
１０    トラップ本体
１１    マウスピース
１２    口金
１３    Ｙ字パッキン
１４    ネジ部
１５    ロックナット
１６    ファスナー
１７    タンク
１７ａ  側壁
１７ｂ  底部
１７ｃ  排出管
２０    カップ
２０ａ  排水窓
２０ｂ  封水部
２０ｃ  係止溝
３０    防臭管
３０ａ  係止突起
３０ｂ  漏斗部
３０ｃ  パイプ部
３０ｄ  鍔部
３０ｅ  パッキン溝
３０ｆ  羽根
３１    防臭パッキン
４０    封水構造体
５０    目皿
【図１】
0005683167.tif 000002
【図２】
0005683167.tif 000003
【図３】
0005683167.tif 000004
【図４】
0005683167.tif 000005
【図５】
0005683167.tif 000006
【図６】
0005683167.tif 000007
【図７】
0005683167.tif 000008
【図８】
0005683167.tif 000009
【図９】
0005683167.tif 000010
【図１０】
0005683167.tif 000011
【図１１】
0005683167.tif 000012